(57)【特許請求の範囲】
【請求項１】
表示装置であって、前記表示装置は、ディスプレイパネルを含み、
前記ディスプレイパネルは、
第１の数量の画素列であって、前記画素列が第２の数量の画素ユニットを含み、前記第１の数量が奇数である第１の数量の画素列と、
前記第２の数量の走査線であって、前記走査線が前記第１の数量の前記画素列中の１つの前記画素ユニットに接続される前記第２の数量の走査線と、
前記第１の数量のデータ線であって、前記データ線が前記画素列中の各前記画素ユニットに接続される前記第１の数量のデータ線と、
駆動回路と、を含み、
前記駆動回路は、
走査ドライバであって、前記走査ドライバは前記第２の数量の前記走査線に接続され、前記走査ドライバは走査駆動信号を生成し、且つ前記走査線によって前記走査駆動信号を前記画素ユニットに送信することに用いられる走査ドライバと、
データドライバであって、前記データドライバは前記第１の数量の前記データ線に接続され、前記データドライバはデータ駆動信号を生成することに用いられ、且つ前記データ線によって前記データ駆動信号を前記画素列に送信することに用いられ、更に所定サイクル期間内に、前記データ駆動信号によって、部分的な列反転の駆動方式により前記ディスプレイパネルを画像をフレームごとに表示するように駆動することに用いられるデータドライバと、を含み、
前記部分的な列反転の駆動方式とは、前記ディスプレイパネル中の前記画素列の一部は時間的に隣接する２つのフレーム画像における極性が反転するが、前記ディスプレイパネル中の残りの前記画素列は前記時間的に隣接する２つのフレーム画像における極性が変化しない方式であり、
前記所定サイクル期間に対応する画像のフレーム数は第３の数量であり、
前記データドライバは前記第３の数量のフレーム画像において、前記データ駆動信号によって正極性を有するすべての画素列の数の和を、負極性を有するすべての画素列の数の和に等しくすることに用いられ、
前記所定サイクル期間内の任意の１つのフレーム画像において、正極性を有する前記画素列の数が第４の数量であり、負極性を有する前記画素列の数が第５の数量であり、
前記第４の数量はゼロ以上であり、且つ前記第４の数量は（第６の数量＋１）以下であり、
前記第５の数量は前記第６の数量以上であり、且つ前記第５の数量は前記第１の数量以下であり、
前記第１の数量＝前記第４の数量＋前記第５の数量であり、
前記第３の数量＝前記第１の数量＊２＋４であり、
前記第６の数量＝（前記第１の数量−１）／２であり、
前記第４の数量、及び前記第５の数量はともに整数であり、
前記所定サイクル期間において、前記データドライバは前記データ駆動信号によって第７の数量の普通フレーム画像、１つの補助フレーム画像及び２つの補償フレーム画像を形成することに用いられ、
前記第７の数量＝前記第３の数量−３であり、
前記普通フレーム画像において、前記第４の数量＝前記第６の数量＋１、前記第５の数量＝前記第６の数量であり、
前記補助フレーム画像において、前記第４の数量＝前記第６の数量、前記第５の数量＝前記第６の数量＋１であり、
前記補償フレーム画像において、前記第４の数量＝０、前記第５の数量＝前記第１の数量である、表示装置。
【請求項２】
前記画素列の一部は時間的に隣接する２つのフレーム画像において対応する極性が同じである、請求項１に記載の表示装置。
【請求項３】
前記補助フレーム画像が前記第７の数量の前記普通フレーム画像に挿入され、２つの前記補償フレーム画像が前記第７の数量の前記普通フレーム画像に挿入された後、２つの前記補償フレーム画像が時間的に隣接する、請求項１に記載の表示装置。
【請求項４】
前記普通フレーム画像は前記ディスプレイパネルに表示するように提供されることに用いられる、請求項３に記載の表示装置。
【請求項５】
請求項１に記載の表示装置の画像表示方法であって、前記方法は、
Ａ、前記走査ドライバは走査駆動信号を生成し、且つ前記走査線によって前記走査駆動信号を前記画素ユニットに送信するステップと、
Ｂ、前記データドライバはデータ駆動信号を生成し、且つ前記データ線によって前記データ駆動信号を前記画素列に送信し、更に所定サイクル期間内に、前記データ駆動信号によって、部分的な列反転の駆動方式により、前記ディスプレイパネルを画像をフレームごとに表示するように駆動するステップと、を含む表示装置の画像表示方法。
【請求項６】
前記画素列の一部は時間的に隣接する２つのフレーム画像において対応する極性が同じである、請求項５に記載の表示装置の画像表示方法。
【請求項７】
前記補助フレーム画像が前記第７の数量の前記普通フレーム画像に挿入され、２つの前記補償フレーム画像が前記第７の数量の前記普通フレーム画像に挿入された後、２つの前記補償フレーム画像が時間的に隣接する、請求項５に記載の表示装置の画像表示方法。
【請求項８】
前記普通フレーム画像は前記ディスプレイパネルに表示するように提供されることに用いられる、請求項５に記載の表示装置の画像表示方法。
【発明の詳細な説明】
【技術分野】
【０００１】
本発明は表示技術分野に関し、特に表示装置及びその画像表示方法に関する。
【背景技術】
【０００２】
従来の表示装置は、通常、列反転の駆動方式によって画像を表示する。従来の列反転の駆動方式では、上記表示装置の隣接する２列の画素列の極性は反対である。
【０００３】
例えば、上記表示装置にＮ列（Ｎは偶数）の画素列が存在する場合、各フレーム画像において、正極性を有する画素列の数及び負極性を有する画素列の数はともにＮ／２である。
【０００４】
しかしながら、上記従来の列反転の駆動方式には、ある程度の消費電力の問題が存在し、つまり、上記従来の列反転の駆動方式では、上記表示装置の消費電力を比較的大きくする。
【０００５】
従って、新たな技術的手段を提案し、それにより上記技術的問題を解決する必要がある。
【発明の概要】
【発明が解決しようとする課題】
【０００６】
本発明の目的は表示装置及びその画像表示方法を提供することであり、表示装置の消費電力を低減させることができる。
【課題を解決するための手段】
【０００７】
上記問題を解決するために、本発明の技術的手段は以下の通りである。
【０００８】
表示装置であって、前記表示装置はディスプレイパネルを含み、前記ディスプレイパネルは、第１の数量の画素列であって、前記画素列が第２の数量の画素ユニットを含み、前記第１の数量が奇数である第１の数量の画素列と、前記第２の数量の走査線であって、前記走査線が前記第１の数量の前記画素列中の１つの前記画素ユニットに接続される前記第２の数量の走査線と、前記第１の数量のデータ線であって、前記データ線が前記画素列中の各前記画素ユニットに接続される前記第１の数量のデータ線と、駆動回路と、を含み、前記駆動回路は、走査ドライバであって、前記走査ドライバは前記第２の数量の前記走査線に接続され、前記走査ドライバは走査駆動信号を生成し、且つ前記走査線によって前記走査駆動信号を前記画素ユニットに送信することに用いられる走査ドライバと、データドライバであって、前記データドライバは前記第１の数量の前記データ線に接続され、前記データドライバはデータ駆動信号を生成することに用いられ、且つ前記データ線によって前記データ駆動信号を前記画素列に送信することに用いられ、更に所定サイクル期間内に、前記データ駆動信号によって、部分的な列反転の駆動方式により、前記ディスプレイパネルを画像をフレームごとに表示するように駆動することに用いられるデータドライバと、を含み、前記画素列の一部は時間的に隣接する２つのフレーム画像において対応する極性が同じであり、前記部分的な列反転の駆動方式とは、前記ディスプレイパネル中の前記画素列の一部は時間的に隣接する２つのフレーム画像における極性が反転するが、前記ディスプレイパネル中の残りの前記画素列は前記時間的に隣接する２つのフレーム画像における極性が変化しない方式である。
【０００９】
上記表示装置では、前記所定サイクル期間に対応する画像のフレーム数は第３の数量であり、前記データドライバは前記第３の数量のフレーム画像において、前記データ駆動信号によって正極性を有するすべての画素列の数の和を、負極性を有するすべての画素列の数の和に等しくすることに用いられる。
【００１０】
上記表示装置では、前記所定サイクル期間内の任意の１つのフレーム画像において、正極性を有する前記画素列の数が第４の数量であり、負極性を有する前記画素列の数が第５の数量であり、前記第４の数量はゼロ以上であり、且つ前記第４の数量は（第６の数量＋１）以下であり、前記第５の数量は前記第６の数量以上であり、且つ前記第５の数量は前記第１の数量以下であり、前記第１の数量＝前記第４の数量＋前記第５の数量、前記第３の数量＝前記第１の数量＊２＋４、前記第６の数量＝（前記第１の数量−１）／２であり、前記第４の数量、及び前記第５の数量はともに整数である。
【００１１】
上記表示装置では、前記所定サイクル期間において、前記データドライバは前記データ駆動信号によって第７の数量の普通フレーム画像、１つの補助フレーム画像及び２つの補償フレーム画像を形成することに用いられ、前記第７の数量＝前記第３の数量−３であり、前記普通フレーム画像において、前記第４の数量＝前記第６の数量＋１、前記第５の数量＝前記第６の数量であり、前記補助フレーム画像において、前記第４の数量＝前記第６の数量、前記第５の数量＝前記第６の数量＋１であり、前記補償フレーム画像において、前記第４の数量＝０、前記第５の数量＝前記第１の数量である。
【００１２】
表示装置であって、前記表示装置はディスプレイパネルを含み、前記ディスプレイパネルは、第１の数量の画素列であって、前記画素列が第２の数量の画素ユニットを含み、前記第１の数量が奇数である第１の数量の画素列と、前記第２の数量の走査線であって、前記走査線が前記第１の数量の前記画素列中の１つの前記画素ユニットに接続される前記第２の数量の走査線と、前記第１の数量のデータ線であって、前記データ線が前記画素列中の各前記画素ユニットに接続される前記第１の数量のデータ線と、駆動回路と、を含み、前記駆動回路は、前記走査ドライバは前記第２の数量の前記走査線に接続され、走査ドライバであって、前記走査ドライバは走査駆動信号を生成し、且つ前記走査線によって前記走査駆動信号を前記画素ユニットに送信することに用いられる走査ドライバと、データドライバであって、前記データドライバは前記第１の数量の前記データ線に接続され、前記データドライバはデータ駆動信号を生成することに用いられ、且つ前記データ線によって前記データ駆動信号を前記画素列に送信することに用いられ、更に所定サイクル期間内に、前記データ駆動信号によって、部分的な列反転の駆動方式により、前記ディスプレイパネルを画像をフレームごとに表示するように駆動することに用いられるデータドライバと、を含む。
【００１３】
上記表示装置では、前記画素列の一部は時間的に隣接する２つのフレーム画像において対応する極性が同じである。
【００１４】
上記表示装置では、前記部分的な列反転の駆動方式とは、前記ディスプレイパネル中の前記画素列の一部は時間的に隣接する２つのフレーム画像における極性が反転するが、前記ディスプレイパネル中の残りの前記画素列は前記時間的に隣接する２つのフレーム画像における極性が変化しない方式である。
【００１５】
上記表示装置では、前記所定サイクル期間に対応する画像のフレーム数は第３の数量であり、前記データドライバは前記第３の数量のフレーム画像において、前記データ駆動信号によって正極性を有するすべての画素列の数の和を、負極性を有するすべての画素列の数の和に等しくすることに用いられる。
【００１６】
上記表示装置では、前記所定サイクル期間内の任意の１つのフレーム画像において、正極性を有する前記画素列の数が第４の数量であり、負極性を有する前記画素列の数が第５の数量であり、前記第４の数量はゼロ以上であり、且つ前記第４の数量は（第６の数量＋１）以下であり、前記第５の数量は前記第６の数量以上であり、且つ前記第５の数量は前記第１の数量以下であり、前記第１の数量＝前記第４の数量＋前記第５の数量、前記第３の数量＝前記第１の数量＊２＋４、前記第６の数量＝（前記第１の数量−１）／２であり、前記第４の数量、及び前記第５の数量はともに整数である。
【００１７】
上記表示装置では、前記所定サイクル期間において、前記データドライバは前記データ駆動信号によって第７の数量の普通フレーム画像、１つの補助フレーム画像及び２つの補償フレーム画像を形成することに用いられ、前記第７の数量＝前記第３の数量−３であり、前記普通フレーム画像において、前記第４の数量＝前記第６の数量＋１、前記第５の数量＝前記第６の数量であり、前記補助フレーム画像において、前記第４の数量＝前記第６の数量、前記第５の数量＝前記第６の数量＋１であり、前記補償フレーム画像において、前記第４の数量＝０、前記第５の数量＝前記第１の数量である。
【００１８】
上記表示装置では、前記補助フレーム画像が前記第７の数量の前記普通フレーム画像に挿入され、２つの前記補償フレーム画像が前記第７の数量の前記普通フレーム画像に挿入された後、２つの前記補償フレーム画像が時間的に隣接する。
【００１９】
上記表示装置では、前記普通フレーム画像は前記ディスプレイパネルに表示するように提供されることに用いられる。
【００２０】
上記表示装置の画像表示方法であって、前記方法は、Ａ、前記走査ドライバは走査駆動信号を生成し、且つ前記走査線によって前記走査駆動信号を前記画素ユニットに送信するステップと、Ｂ、前記データドライバはデータ駆動信号を生成し、且つ前記データ線によって前記データ駆動信号を前記画素列に送信し、更に所定サイクル期間内に、前記データ駆動信号によって、部分的な列反転の駆動方式により、前記ディスプレイパネルを画像をフレームごとに表示するように駆動するステップと、を含む。
【００２１】
上記表示装置の画像表示方法では、前記画素列の一部は時間的に隣接する２つのフレーム画像において対応する極性が同じである。
【００２２】
上記表示装置の画像表示方法では、前記部分的な列反転の駆動方式とは、前記ディスプレイパネル中の前記画素列の一部は時間的に隣接する２つのフレーム画像における極性が反転するが、前記ディスプレイパネル中の残りの前記画素列は前記時間的に隣接する２つのフレーム画像における極性が変化しない方式である。
【００２３】
上記表示装置の画像表示方法では、前記所定サイクル期間に対応する画像のフレーム数は第３の数量であり、前記第３の数量のフレーム画像において、前記データドライバによって生成される前記データ駆動信号は正極性を有するすべての画素列の数の和を、負極性を有するすべての画素列の数の和に等しくすることに用いられる。
【００２４】
上記表示装置の画像表示方法では、前記所定サイクル期間内の任意の１つのフレーム画像において、正極性を有する前記画素列の数が第４の数量であり、負極性を有する前記画素列の数が第５の数量であり、前記第４の数量はゼロ以上であり、且つ前記第４の数量は（第６の数量＋１）以下であり、前記第５の数量は前記第６の数量以上であり、且つ前記第５の数量は前記第１の数量以下であり、前記第１の数量＝前記第４の数量＋前記第５の数量、前記第３の数量＝前記第１の数量＊２＋４、前記第６の数量＝（前記第１の数量−１）／２であり、前記第４の数量、及び前記第５の数量はともに整数である。
【００２５】
上記表示装置の画像表示方法では、前記所定サイクル期間において、前記データドライバによって生成される前記データ駆動信号は第７の数量の普通フレーム画像、１つの補助フレーム画像及び２つの補償フレーム画像を形成することに用いられ、前記第７の数量＝前記第３の数量−３であり、前記普通フレーム画像において、前記第４の数量＝前記第６の数量＋１、前記第５の数量＝前記第６の数量であり、前記補助フレーム画像において、前記第４の数量＝前記第６の数量、前記第５の数量＝前記第６の数量＋１であり、前記補償フレーム画像において、前記第４の数量＝０、前記第５の数量＝前記第１の数量である。
【００２６】
上記表示装置の画像表示方法では、前記補助フレーム画像が前記第７の数量の前記普通フレーム画像に挿入され、２つの前記補償フレーム画像が前記第７の数量の前記普通フレーム画像に挿入された後、２つの前記補償フレーム画像が時間的に隣接する。
【００２７】
上記表示装置の画像表示方法では、前記普通フレーム画像は前記ディスプレイパネルに表示するように提供されることに用いられる。
【発明の効果】
【００２８】
従来技術に比べて、本発明は任意の１つの普通フレーム画像又は補助フレーム画像において、前記ディスプレイパネル中の正極性を有する画素列の数と負極性を有する画素列の数とが等しくなく、前記ディスプレイパネル中の前記画素列の一部は時間的に隣接する２つのフレーム画像における極性が反転するが、前記ディスプレイパネル中の残りの前記画素列は前記時間的に隣接する２つのフレーム画像における極性が変化しないことによって、前記ディスプレイパネルの駆動方式の設計上の柔軟性を向上させ、消費電力を低減させる。
【００２９】
本発明の上記内容をより明瞭で分かり易くするために、以下、好適な実施例を挙げて添付図面を参照して詳細に説明する。
【図面の簡単な説明】
【００３０】
【図１】図１は、本発明における表示装置の模式図である。
【図２】図２は、本発明における３列の画素列を有する表示装置の所定サイクル期間における各フレーム画像の画素列の極性を示す模式図である。
【図３】図３は、本発明における５列の画素列を有する表示装置の所定サイクル期間における各フレーム画像の画素列の極性を示す模式図である。
【図４】図４は、本発明における７列の画素列を有する表示装置の所定サイクル期間内における各フレーム画像の画素列の極性を示す模式図である。
【図５】図５は、本発明における表示装置の画像表示方法のフローチャートである。
【発明を実施するための形態】
【００３１】
本明細書に使用される用語「実施例」は、実例、例示又は例証を意味する。また、本明細書及び添付特許請求の範囲に使用される冠詞「一」は、一般に、単数形を特に指定したりコンテキストから明確に決定したりしない限り、「１つ又は複数」として解釈できる。
【００３２】
図１を参照すると、図１は本発明における表示装置の模式図である。
【００３３】
本発明における表示装置はディスプレイパネル１０１及び駆動回路を含む。上記駆動回路は上記ディスプレイパネル１０１に接続される。上記ディスプレイパネル１０１はＴＦＴ−ＬＣＤ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ、薄膜トランジスタ液晶ディスプレイパネル）、ＯＬＥＤ（Ｏｒｇａｎｉｃ  Ｌｉｇｈｔ  Ｅｍｉｔｔｉｎｇ  Ｄｉｏｄｅ、有機発光ダイオードディスプレイパネル）等であり得る。
【００３４】
上記ディスプレイパネル１０１は第１の数量の画素列１０１１、第２の数量の走査線１０１２、及び上記第１の数量のデータ線１０１３を含む。
【００３５】
上記画素列１０１１は第２の数量の画素ユニットを含み、上記第１の数量は奇数である。
【００３６】
上記走査線１０１２は上記第１の数量の上記画素列１０１１中の１つの上記画素ユニットに接続される。
【００３７】
上記データ線１０１３は上記画素列１０１１中の各上記画素ユニットに接続される。
【００３８】
上記駆動回路は走査ドライバ１０３及びデータドライバ１０２を含む。
【００３９】
上記走査ドライバ１０３は上記第２の数量の上記走査線１０１２に接続され、上記走査ドライバ１０３は走査駆動信号を生成し、上記走査線１０１２によって上記走査駆動信号を上記画素ユニットに送信することに用いられる。
【００４０】
上記データドライバ１０２は上記第１の数量の上記データ線１０１３に接続され、上記データドライバ１０２はデータ駆動信号を生成することに用いられ、且つ上記データ線１０１３によって上記データ駆動信号を上記画素列１０１１に送信することに用いられ、更に所定サイクル期間内に、上記データ駆動信号によって、部分的な列反転の駆動方式により、上記ディスプレイパネル１０１を画像をフレームごとに表示するように駆動することに用いられる。
【００４１】
そのうち、上記画素列１０１１の一部は時間的に隣接する２つのフレーム画像において対応する極性が同じである。
【００４２】
上記データドライバ１０２は、上記所定サイクル期間内に各フレーム画像に対応するデータ駆動信号をフレームごとに上記第１の数量の上記データ線１０１３によって上記第１の数量の上記画素列１０１１に送信することに用いられる。
【００４３】
上記部分的な列反転の駆動方式とは、上記ディスプレイパネル１０１中の上記画素列１０１１の一部は時間的に隣接する２つのフレーム画像における極性が反転するが、上記ディスプレイパネル１０１中の残りの上記画素列１０１１は上記時間的に隣接する２つのフレーム画像における極性が変化しない方式である。
【００４４】
例えば、図２に示されるように、第１フレーム画像と第２フレーム画像は時間的に隣接する２つのフレーム画像であり、第１画素列は上記第１フレーム画像において正極性（＋）であり、上記第１画素列は上記第２フレーム画像においても正極性であり、第２画素列は上記第１フレーム画像において正極性であり、上記第２画素列は上記第２フレーム画像において負極性（−）であり、第３画素列は上記第１フレーム画像において負極性であり、上記第３画素列は上記第２フレーム画像において正極性である。すなわち、上記第２画素列及び上記第３画素列は上記第１フレーム画像と上記第２フレーム画像において極性が反対であり、上記第１画素列は上記第１フレーム画像と上記第２フレーム画像において極性が変化しない。
【００４５】
図３に示されるように、第２フレーム画像と第３フレーム画像は時間的に隣接する２つのフレーム画像であり、第１画素列、第２画素列、第３画素列、第４画素列、及び第５画素列は上記第２フレーム画像においてそれぞれ正極性、負極性、正極性、負極性、正極性であり、上記第１画素列、上記第２画素列、上記第３画素列、上記第４画素列、及び上記第５画素列は上記第３フレーム画像においてそれぞれ正極性、正極性、負極性、正極性、負極性である。すなわち、上記第２画素列、上記第３画素列、上記第４画素列、及び上記第５画素列は上記第２フレーム画像と上記第３フレーム画像において極性が反対であり、上記第１画素列は上記第２フレーム画像と上記第３フレーム画像において極性が変化しない。
【００４６】
図４に示されるように、第３フレーム画像と第４フレーム画像は時間的に隣接する２つのフレーム画像であり、第１画素列、第２画素列、第３画素列、第４画素列、第５画素列、第６画素列、及び第７画素列は上記第３フレーム画像においてそれぞれ正極性、正極性、負極性、正極性、負極性、正極性、負極性であり、上記第１画素列、上記第２画素列、上記第３画素列、上記第４画素列、上記第５画素列、上記第６画素列、及び上記第７画素列は上記第４フレーム画像においてそれぞれ負極性、正極性、正極性、負極性、正極性、負極性、正極性であり、すなわち、上記第１画素列、上記第３画素列、上記第４画素列、上記第５画素列、上記第６画素列、及び上記第７画素列は上記第３フレーム画像と上記第４フレーム画像において極性が反対であり、上記第２画素列は上記第３フレーム画像と上記第４フレーム画像において極性が変化しない。
【００４７】
上記所定サイクル期間に対応する画像のフレーム数は第３の数量である。
【００４８】
上記データドライバ１０２は上記第３の数量のフレーム画像において用いられ、上記データ駆動信号によって、正極性を有するすべての画素列１０１１の数の和を、負極性を有するすべての画素列１０１１の数の和に等しくする。
【００４９】
例えば、図２に示されるように、正極性を有するすべての画素列１０１１の数の和＝負極性を有するすべての画素列１０１１の数の和＝１５である。
【００５０】
図３に示されるように、正極性を有するすべての画素列１０１１の数の和＝負極性を有するすべての画素列１０１１の数の和＝３５である。
【００５１】
図４に示されるように、正極性を有するすべての画素列１０１１の数の和＝負極性を有するすべての画素列１０１１の数の和＝６３である。
【００５２】
上記所定サイクル期間内の任意の１つのフレーム画像において、正極性を有する上記画素列１０１１の数は第４の数量であり、負極性を有する上記画素列１０１１の数は第５の数量である。
【００５３】
上記第４の数量はゼロ以上であり、且つ上記第４の数量は（第６の数量＋１）以下である。
【００５４】
上記第５の数量は上記第６の数量以上であり、且つ上記第５の数量は上記第１の数量以下である。
【００５５】
上記第１の数量＝上記第４の数量＋上記第５の数量である。
【００５６】
上記第３の数量＝上記第１の数量＊２＋４である。
【００５７】
上記第６の数量＝（上記第１の数量−１）／２である。
【００５８】
上記第４の数量、及び上記第５の数量はともに整数である。
【００５９】
例えば、図２に示されるように、上記第１の数量が３である場合、上記第６の数量が１であり、上記第３の数量が１０である。上記所定サイクル期間は１０フレームの画像の表示時間に対応する期間である。
【００６０】
図３に示されるように、上記第１の数量が５である場合、上記第６の数量が２であり、上記第３の数量が１４である。上記所定サイクル期間は１４フレームの画像の表示時間に対応する期間である。
【００６１】
図４に示されるように、上記第１の数量が７である場合、上記第６の数量が３であり、上記第３の数量が１８である。上記所定サイクル期間は１８フレームの画像の表示時間に対応する期間である。
【００６２】
上記所定サイクル期間において、上記データドライバ１０２は上記データ駆動信号によって第７の数量の普通フレーム画像、１つの補助フレーム画像及び２つの補償フレーム画像を形成することに用いられる。
【００６３】
上記第７の数量＝上記第３の数量−３である。
【００６４】
上記普通フレーム画像において、上記第４の数量＝上記第６の数量＋１であり、上記第５の数量＝上記第６の数量である。
【００６５】
上記補助フレーム画像において、上記第４の数量＝上記第６の数量であり、上記第５の数量＝上記第６の数量＋１である。
【００６６】
上記補償フレーム画像において、上記第４の数量＝０であり、上記第５の数量＝上記第１の数量である。
【００６７】
上記補助フレーム画像が上記第７の数量の上記普通フレーム画像に挿入され、２つの上記補償フレーム画像が上記第７の数量の上記普通フレーム画像に挿入された後、２つの上記補償フレーム画像が時間的に隣接する。
【００６８】
上記普通フレーム画像は上記ディスプレイパネル１０１に表示するように提供されることに用いられる。
【００６９】
例えば、図２に示されるように、上記第３の数量が１０である場合、上記第７の数量＝７である。第１フレーム画像、第２フレーム画像、第３フレーム画像、第４フレーム画像、第５フレーム画像、第７フレーム画像、及び第８フレーム画像は上記普通フレーム画像であり、第６フレーム画像は上記補助フレーム画像であり、第９フレーム画像及び第１０フレーム画像は上記補償フレーム画像である。図２は上記ディスプレイパネル１０１が３列の上記画素列１０１１を有する場合であり、第１−５、７−８フレーム画像はすべて上記「上記第４の数量＝上記第６の数量＋１、上記第５の数量＝上記第６の数量」の要件を満たし、第６フレームは上記補助フレーム画像であり、第９、１０フレームは上記補償フレーム画像であり、各上記サイクル期間の後、各列の上記画素列１０１１の正の半サイクルの駆動電圧、負の半サイクルの駆動電圧はそれぞれ半分を占める。そのうち、上記正の半サイクルの駆動電圧とは、上記画素列１０１１の上記所定サイクル期間の半サイクルにおける駆動電圧が正極性に対応することであり、上記負の半サイクルの駆動電圧とは、上記画素列１０１１の上記所定サイクル期間の半サイクルにおける駆動電圧が負極性に対応することである。
【００７０】
図３に示されるように、第１フレーム画像、第２フレーム画像、第３フレーム画像、第４フレーム画像、第５フレーム画像、第６フレーム画像、第７フレーム画像、第９フレーム画像、第１０フレーム画像、第１１フレーム画像、及び第１２フレーム画像は上記普通フレーム画像であり、第８フレーム画像は上記補助フレーム画像であり、第１３フレーム画像及び第１４フレーム画像は上記補償フレーム画像である。図３は上記ディスプレイパネル１０１が５列の上記画素列１０１１を有する場合であり、第１−７、９−１２フレーム画像はすべて上記「上記第４の数量＝上記第６の数量＋１、上記第５の数量＝上記第６の数量」の要件を満たし、第８フレームは上記補助フレーム画像であり、第１３、１４フレームは上記補償フレーム画像であり、各上記サイクル期間の後、各列の上記画素列１０１１の正の半サイクルの駆動電圧、負の半サイクルの駆動電圧はそれぞれ半分を占める。
【００７１】
図４に示されるように、第１フレーム画像、第２フレーム画像、第３フレーム画像、第４フレーム画像、第５フレーム画像、第６フレーム画像、第７フレーム画像、第８フレーム画像、第９フレーム画像、第１１フレーム画像、第１２フレーム画像、第１３フレーム画像、第１４フレーム画像、第１５フレーム画像、及び第１６フレーム画像は上記普通フレーム画像であり、第１０フレーム画像は上記補助フレーム画像であり、第１７フレーム画像及び第１８フレーム画像は上記補償フレーム画像である。図４は上記ディスプレイパネル１０１が７列の上記画素列１０１１を有する場合であり、第１−９、１１−１６フレーム画像はすべて上記「上記第４の数量＝上記第６の数量＋１、上記第５の数量＝上記第６の数量」の要件を満たし、第１０フレームは上記補助フレーム画像であり、第１７、１８フレームは上記補償フレーム画像であり、各々の上記サイクル期間の後、各列の上記画素列１０１１の正の半サイクルの駆動電圧、負の半サイクルの駆動電圧はそれぞれ半分を占める。
【００７２】
各上記所定サイクル期間において、上記所定サイクル期間に対応するフレーム画像に対する上記補助フレーム画像及び上記補償フレーム画像の比率は表１に示される。
【００７３】
（表１）  上記所定サイクル期間に対応するフレーム画像に対する、上記補助フレーム画像及び上記補償フレーム画像の比率
【表１】
0006869384.tif 000002
【００７４】
図５に示すように、図５は本発明における表示装置の画像表示方法のフローチャートである。
【００７５】
本発明における表示装置の画像表示方法は、以下のステップを含む。
【００７６】
Ａ、上記走査ドライバ１０３は走査駆動信号を生成し、上記走査線１０１２によって上記走査駆動信号を上記画素ユニットに送信する。
【００７７】
Ｂ、上記データドライバ１０２はデータ駆動信号を生成し、且つ上記データ線１０１３によって上記データ駆動信号を上記画素列１０１１に送信し、更に所定サイクル期間内に、上記データ駆動信号によって、部分的な列反転の駆動方式により上記ディスプレイパネル１０１を画像をフレームごとに表示するように駆動する。
【００７８】
そのうち、上記画素列１０１１の一部は時間的に隣接する２つのフレーム画像において対応する極性が同じである。
【００７９】
上記データドライバ１０２は、上記所定サイクル期間内に各フレーム画像に対応するデータ駆動信号をフレームごとに上記第１の数量の上記データ線１０１３によって上記第１の数量の上記画素列１０１１に送信することに用いられる。
【００８０】
上記部分的な列反転の駆動方式とは、上記ディスプレイパネル１０１中の上記画素列１０１１の一部は時間的に隣接する２つのフレーム画像における極性が反転するが、上記ディスプレイパネル１０１中の残りの上記画素列１０１１は上記時間的に隣接する２つのフレーム画像における極性が変化しない方式である。
【００８１】
上記所定サイクル期間に対応する画像のフレーム数は第３の数量である。
【００８２】
上記第３の数量のフレーム画像において、上記データドライバ１０２によって生成される上記データ駆動信号は、正極性を有するすべての画素列１０１１の数の和を、負極性を有するすべての画素列１０１１の数の和に等しくすることに用いられる。
【００８３】
上記所定サイクル期間内の任意の１つのフレーム画像において、正極性を有する上記画素列１０１１の数は第４の数量であり、負極性を有する上記画素列１０１１の数は第５の数量である。
【００８４】
上記第４の数量はゼロ以上であり、且つ上記第４の数量は（第６の数量＋１）以下である。
【００８５】
上記第５の数量は上記第６の数量以上であり、且つ上記第５の数量は上記第１の数量以下である。
【００８６】
上記第１の数量＝上記第４の数量＋上記第５の数量である。
【００８７】
上記第３の数量＝上記第１の数量＊２＋４である。
【００８８】
上記第６の数量＝（上記第１の数量−１）／２である。
【００８９】
上記第４の数量、及び上記第５の数量はともに整数である。
【００９０】
上記所定サイクル期間において、上記データドライバ１０２によって生成される上記データ駆動信号は、第７の数量の普通フレーム画像、１つの補助フレーム画像及び２つの補償フレーム画像を形成することに用いられる。
【００９１】
上記第７の数量＝上記第３の数量−３である。
【００９２】
上記普通フレーム画像において、上記第４の数量＝上記第６の数量＋１、上記第５の数量＝上記第６の数量である。
【００９３】
上記補助フレーム画像において、上記第４の数量＝上記第６の数量、上記第５の数量＝上記第６の数量＋１である。
【００９４】
上記補償フレーム画像において、上記第４の数量＝０、上記第５の数量＝上記第１の数量である。
【００９５】
上記補助フレーム画像が上記第７の数量の上記普通フレーム画像に挿入され、２つの上記補償フレーム画像が上記第７の数量の上記普通フレーム画像に挿入された後、２つの上記補償フレーム画像が時間的に隣接する。
【００９６】
上記普通フレーム画像は上記ディスプレイパネル１０１に表示するように提供されることに用いられる。
【００９７】
本発明の表示装置及びその画像表示方法によって生成された時間的に隣接する２つのフレーム画像において、画素列１０１１の一部は同じ極性を有することによって、表示装置の消費電力の低減に寄与する。
【００９８】
また、各上記所定サイクル期間の後、各列の上記画素列１０１１が同一回数の正の半サイクルの駆動電圧及び負の半サイクルの駆動電圧を経験することによって、液晶分子中の可動イオンが上記ディスプレイパネル１０１に対応する液晶コンデンサの上極板、及び下極板の２つの極板のうちの一方に残留しないことを確実にする。
【００９９】
任意の１つの普通フレーム画像又は補助フレーム画像において、上記ディスプレイパネル１０１中の正極性を有する画素列１０１１の数と負極性を有する画素列１０１１の数とが等しくなく、上記ディスプレイパネル１０１中の上記画素列１０１１の一部は時間的に隣接する２つのフレーム画像における極性が反転するが、上記ディスプレイパネル１０１中の残りの上記画素列１０１１は上記時間的に隣接する２つのフレーム画像における極性が変化しないことによって、上記ディスプレイパネル１０１の駆動方式の設計上の柔軟性を向上させ、消費電力を低減させる。また、上記所定サイクル期間において、正極性を有するすべての画素列１０１１の数の和が負極性を有するすべての画素列１０１１の数の和に等しいことによって、画面残存の問題を招くことがなく、上記ディスプレイパネル１０１中の隣接する２つの上記画素列１０１１の共通電極に対する容量結合作用が、相互に補償できないことに起因する水平クロストーク現象の発生を回避する。
【０１００】
上記のとおり、好適な実施例を参照して本発明を以上のように開示したが、上記好適な実施例は本発明を限定することに用いられるものではなく、当業者は本発明の精神及び範囲内を逸脱せずに種々の変更や修飾を行うことができ、従って、本発明の保護範囲は特許請求の範囲に定められる範囲に準じる。
【符号の説明】
【０１０１】
１０１  ディスプレイパネル
１０２  データドライバ
１０３  走査ドライバ
１０１１  画素列
１０１２  走査線
１０１３  データ線
【図１】
0006869384.tif 000003
【図２】
0006869384.tif 000004
【図３】
0006869384.tif 000005
【図４】
0006869384.tif 000006
【図５】
0006869384.tif 000007